(57)【特許請求の範囲】
【請求項１】
画像を表示する第１の液晶パネルと、
この第１の液晶パネルの後方に配され、画像を表示する第２の液晶パネルと、
これら第１の液晶パネルおよび第２の液晶パネルに後方から光を照射する光源部とを備え、
前記第１の液晶パネルと前記第２の液晶パネルとによる合成画像を表示する液晶表示装置であって、
前記第２の液晶パネルに、視野角を拡大させる機能を有する視野角拡大部を配することにより、前記第２の液晶パネルにおける視野角を前記第１の液晶パネルにおける視野角よりも大きくした、
ことを特徴とする液晶表示装置。
【請求項２】
請求項１に記載の液晶表示装置において、
前記第２の液晶パネルは、前側と後側にそれぞれ偏光板を有し、
前側の偏光板の後方と後側の偏光板の前方にそれぞれこれら偏光板からの光漏れを補正する視野角拡大フィルムを前記視野角拡大部として配することにより、前記第２の液晶パネルにおける視野角を前記第１の液晶パネルにおける視野角よりも大きくした、
ことを特徴とする液晶表示装置。
【発明の詳細な説明】
【技術分野】
【０００１】
この発明は、液晶表示装置に関し、特にたとえば、積層された複数の液晶パネルでそれぞれ再現される複数の画像を前面から出力する液晶表示装置に関する。
【背景技術】
【０００２】
現在、液晶表示装置が、様々な機器に搭載されている。ゲーム機や遊技機器などでは、液晶表示装置に所望のコンテンツ画像が表示される。これにより、臨場感が高揚され、ゲームや遊戯の面白みが高められる。
【０００３】
従来、この種の液晶表示装置には、単一の液晶パネルが用いられていた。このため、表示画像は２次元画像となり、これに立体感を持たせるには、専用のメガネを掛ける等の工夫が必要であった。これに対し、最近では、複数の液晶パネルを厚み方向に配置し、表示画像に奥行き感を持たせる構成が採られつつある。ここでは、それぞれの液晶パネルに異なる画像が表示され、観る者によって、各液晶パネルの画像が合成される。このように、画像の配置を前後させることにより、合成画像に奥行き感が与えられる。また、各液晶パネルに表示される画像を工夫することにより、視覚効果を異ならせることができる。
【０００４】
この種の装置の一例が、特許文献１に開示されている。この従来技術によれば、各々が画像を再現する複数のスクリーンが、予め調整された距離を隔てて平行に配置される。この距離は、典型的には正面スクリーンの縦の長さの１／４であるが、実際の距離は所望の効果に合わせて変更される。
【特許文献１】特許第３３３５９９８号公報
【発明の開示】
【発明が解決しようとする課題】
【０００５】
ところで、この種の液晶表示装置では、通常、合成画像に奥行き感や拡がり感を持たせることが望ましい。こうすると、表示画像による視覚効果を一層高めることができ、画像の面白みを増長させることができる。
【０００６】
本発明は、この点に鑑みてなされたものであり、積層された複数の液晶パネル供えた液晶表示装置において、前後の液晶パネル上の画像を合成して表示される合成画像に一層の奥行き感や拡がり感を持たせることができ、合成画像による面白みを高めることができる液晶表示装置を提供することを目的とする。
【課題を解決するための手段】
【０００７】
請求項１の発明に係る液晶表示装置は、画像を表示する第１の液晶パネルと、この第１の液晶パネルの後方に配され、画像を表示する第２の液晶パネルと、これら第１の液晶パネルおよび第２の液晶パネルに後方から光を照射する光源部とを備え、前記第１の液晶パネルと前記第２の液晶パネルとによる合成画像を表示する液晶表示装置であって、前記第
２の液晶パネルに、視野角を拡大させる機能を有する視野角拡大部を配することにより、前記第２の液晶パネルにおける視野角を前記第１の液晶パネルにおける視野角よりも大きくしたことを特徴とする。
【０００８】
請求項２に係る発明は、請求項１に記載の液晶表示装置において、前記第２の液晶パネルは、前側と後側にそれぞれ偏光板を有し、前側の偏光板の後方と後側の偏光板の前方にそれぞれこれら偏光板からの光漏れを補正する視野角拡大フィルムを前記視野角拡大部として配することにより、前記第２の液晶パネルにおける視野角を、前記第１の液晶パネルにおける視野角よりも大きくしたことを特徴とする。
【発明の効果】
【０００９】
本発明の構成によれば、第２の液晶パネルの視野角を前方の第１の液晶パネルの視野角よりも大きくしたので、第１の液晶パネルに表示される被表示体（図１５に示す襖など）によって第２の液晶パネルに表示される被表示体（図１５に示す満月など）が隠されるような合成画像が第１の液晶パネルと第２の液晶パネルとにより表示された場合に、第１の液晶パネルの被表示体に隠された第２の液晶パネルの被表示体を、第１の液晶パネルの被表示体のない部分から、大きな角度範囲で見ることができるようになる。これにより、観察者が視点を正面から所定の方向に振ることで、第２の液晶パネルの視野角が第１の液晶パネルの視野角と同じであれば第１の液晶パネルの被表示体に隠されて見ることができない第２の液晶パネルの被表示体を見ることができるようになる。こうなると、観察者は、第１および第２の液晶パネルによる上記の合成画像において、奥側が大きく広がっているように感じられるようになり、合成画像に奥行き感や立体感が発揮される。また、このように合成画像に拡がり感、奥行き感および立体感が発揮されることにより、合成画像による面白みが高められる。
【００１０】
また、前方の第１の液晶パネルは、必要以上に視野角を大きくしなくてよいので、視野角拡大に伴うコスト上昇を抑えることができる。
【００１１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に何ら制限されるものではない。
【発明を実施するための最良の形態】
【００１２】
以下、本発明の実施の形態について、図面を参照して説明する。本実施の形態に係る液晶表示装置は、前後に２つの液晶パネルを配置した、いわゆるマルチレイヤータイプの液晶表示装置である。
【００１３】
図１は、本実施の形態に係る液晶表示装置の構成を示す図であり、装置を斜め後方から見た分解斜視図である。
【００１４】
図１を参照して、液晶表示装置は、前部表示ユニット１と、後部表示ユニット２と、スペーサ３と、前カバー４と、後カバー５とで構成されている。前部表示ユニット１と後部表示ユニット２は、スペーサ３によって所定の間隔に保持された状態で前後方向に積層され、前後をそれぞれ前カバー４および後カバー５によって覆われる。
【００１５】
前部表示ユニット１には液晶パネルが配されており、後部表示ユニット２には液晶パネルと共にバックライト装置（以下、単に「バックライト」という）が配されている。後部表示ユニット２のバックライトからの光は、後方の液晶パネルの表示に利用され、さらに、後方の液晶パネルを通過した光（映像光を含む）は、前方の液晶パネルの表示に利用される。
【００１６】
図２は前部表示ユニット１の構成を示す図である。同図（ａ）は、前部表示ユニット１を斜め前方からみた斜視図であり、同図（ｂ）は、前部表示ユニット１の模式的な縦断面図である。
【００１７】
前部表示ユニット１は、矩形状の液晶パネル１１と、液晶パネル１１を保持する矩形状の保持枠１２とからなる。保持枠１２の前面には、液晶パネル１１が嵌め込まれる凹部１０１が形成されており、後面には、後述するスペーサの凸部に嵌合する凹部１０２が形成されている。保持枠１２の枠によって定まる開口部１０３の大きさは、液晶パネル１１の表示画面とほぼ等しくされている。
【００１８】
図３から図８は後部表示ユニット２の構成を示す図である。図３は後部表示ユニット２を斜め前方から見た斜視図であり、図４は図３におけるＡ−Ａ´部の模式的な断面図である。なお、図４においては、図中の矢印に示すように、後部表示ユニット２の前面が紙面の下側になるよう図が描かれている。また、図５はバックライト２１の斜視図であり、図６はバックライト２１を構成する冷陰極蛍光ランプ２０５の保持構造を示す要部の斜視図、図７はバックライト２１の背面図である。なお、図７においては、便宜上、前カバーが描かれている。さらに、図８はバックライト２１に保持枠２３を取り付けた状態の斜視図である。
【００１９】
図３および図４を参照して、後部表示ユニット２は、バックライト２１と、冷却装置２２と、保持枠２３と、液晶パネル２４と、押さえ枠２５とからなる。
【００２０】
バックライト２１は、液晶パネル１１と液晶パネル２４の双方の光源となる。バックライト２１の後面には、冷却装置２２が配されている。冷却装置２２は、バックライト２１内部に外気を流通させることによって冷陰極蛍光ランプを冷却する。バックライト２１の前面には、保持枠２３が取り付けられている。この保持枠２３の前面には液晶パネル２４が配されている。保持枠２３に配された液晶パネル２４の前面は押さえ枠２５によって押さえられている。
【００２１】
図４および図５を参照して、バックライト２１は、前面が開口した矩形箱状のケース２０１を備える。ケース２０１の左右の外側面には、それぞれ、中央部、上端部、下端部の３箇所に、取付ボス２０２が設けられている。これら取付ボス２０２は、液晶表示装置を、液晶表示装置が搭載される機器（例えば、遊技機器）にネジ止め固定する際に用いられる。
【００２２】
上端部の取付ボス２０２と中央部の取付ボス２０２との間には、これら取付ボス２０２より少し背の低い取付ボス２０３が設けられている。この取付ボス２０３は、後カバー５を後部表示ユニット２にネジ止め固定する際に用いられる。また、中央部の取付ボス２０２と下端部の取付ボス２０２との間には、これら取付ボス２０２より少し背の低い取付ボス２０４が設けられている。この取付ボス２０４は、前カバー４を後部表示ユニット２にネジ止め固定する際に用いられる。
【００２３】
なお、図５においては、右側の外側面の取付ボス２０２、２０３、２０４のみが示されているが、左側の外側面にも同様に取付ボス２０２、２０３、２０４が設けられている。
【００２４】
ケース２０１内には、１６本の冷陰極蛍光ランプ２０５が配されている。冷陰極蛍光ランプ２０５は、細長い管状の発光部と発光部の両側に取り付けられた電極とからなり、ケース２０１内において上下方向に配列されている。冷陰極蛍光ランプ２０５の両端は、ホルダ２０６、２０７によって保持されている。
【００２５】
図６に示すように、冷陰極蛍光ランプ２０５は、２本が１つのホルダ２０６、２０７に保持されている。ホルダ２０６側の冷陰極蛍光ランプ２０５の２つの電極は、配線２０８に接続されている。一方、ホルダ２０７側の２つの電極は、電極同士が電気的に接続されている。すなわち、ホルダ２０７には溝２０７ａが形成され、この溝２０７ａ内に、導電パターンを有する基板２０７ｂが取り付けられている。ホルダ２０７側の２つ電極は、この基板２０７ｂの導電パターンに半田付けされることによって電気的に接続される。
【００２６】
図４および図５に戻り、ケース２０１の外底面には、その中央部にインバータ基板２０９が配されている。このインバータ基板２０９には、冷陰極蛍光ランプ２０５を駆動するためのインバータ回路（図示せず）が搭載されている。冷陰極蛍光ランプ２０５からの配線２０８は、インバータ基板２０９にコネクタ２０９ａを用いて接続されている。
【００２７】
ケース２０１の内底面および上下の内側面には、リフレクター２１０が配されている。ケース２０１の上下左右の側面は少し外側に傾いており、上下の内側面のリフレクター２１０の反射面も同様に外側に傾いている。また、ホルダ２０６、２０７より内側の位置には、それぞれリフレクター２１１が配されている。リフレクター２１１の反射面も少し外側に傾いている。
【００２８】
こうして、インバータ回路から配線２０８を介して冷陰極蛍光ランプ２０５に電圧が印加されると、冷陰極蛍光ランプ２０５が発光する。上述のように２つの冷陰極蛍光ランプ２０５が直列接続されており、１つの配線２０８により電圧が印加されることによって、２本の冷陰極蛍光ランプ２０５が点灯する。冷陰極蛍光ランプ２０５は、リフレクター２１０、２１１に囲まれており、冷陰極蛍光ランプ２０５から後方や側方に向かった光は、リフレクター２１０、２１１で反射されて前方へ向う。このとき、リフレクター２１０、２１１の反射面が外側に傾いていることにより、光が前方に向かいやすくなっている。
【００２９】
冷陰極蛍光ランプ２０５は、発光する際に発熱する。本実施の形態のように、２つの液晶パネルに１つのバックライトから光を照射する液晶表示装置の場合、高輝度の冷陰極蛍光ランプ２０５を用いる必要があるため、１枚の液晶パネルを用いた液晶表示装置に比べ発熱量が大きくなる。そこで、本実施の形態では、以下のような冷陰極蛍光ランプ２０５の冷却構造を備えている。
【００３０】
ケース２０１の上下の側面であって、冷陰極蛍光ランプ２０５の発光部に臨む位置には、スリット形状の吸気孔２０１ａが形成されている。吸気孔２０１ａは、左右方向に８個並んでいる。吸気孔２０１ａは、リフレクター２１０、２１１により囲まれた冷陰極蛍光ランプ２０５の発光領域Ｒ１内に外部空気を吸気すべく設けられている。なお、図５には、下の側面の吸気孔２０１ａのみが示されているが、上の側面にも同様に吸気孔２０１ａが設けられている。
【００３１】
ケース２０１の上下の側面であって、ホルダ２０６（冷陰極蛍光ランプ２０５の電極部）の近傍位置には、矩形状の吸気孔２０１ｂが形成されている。吸気孔２０１ｂは、発光領域Ｒ１の外側にある電極領域Ｒ２内に外部空気を吸気すべく設けられている。
【００３２】
ケース２０１の底面には、ホルダ２０６、２０７に隣接して排気孔２０１ｃが形成されている。排気孔２０１ｃは、図７（バックライト２１の背面図）に示すように、１つのホルダ２０６、２０７に対して１つずつ設けられている。
【００３３】
ケース２０１の外底面には、排気孔２０１ｃに対応して冷却装置２２が配されている。冷却装置２２は、インバータ基板２０９の左側に配されたダクトカバー２１２および排気ファン２１３と、インバータ基板２０９の右側に配されたダクトカバー２１４および排気ファン２１５とを備えている。
【００３４】
ダクトカバー２１２は、縦に並んだホルダ２０６側の８つの排気孔２０１ｃを覆うよう縦長に形成されている。このダクトカバー２１２とケース２０１の底面によって、排気風路２１６が形成される。ダクトカバー２１２の底面には、排気ファン２１３への吸込口２１２ａが形成されており、インバータ基板２０９側の側面には、吸気口２１２ｂが形成されている。
【００３５】
ダクトカバー２１４は、縦に並んだホルダ２０７側の８つの排気孔２０１ｃを覆うよう縦長に形成されている。このダクトカバー２１４とケース２０１の底面によって、排気風路２１７が形成される。ダクトカバー２１４の後面には、排気ファン２１５への吸込口２１４ａが形成されており、左側面には、吸気口２１４ｂが形成されている。
【００３６】
排気ファン２１３、２１５が回転すると、吸気孔２０１ａ、２０１ｂから外部の空気がケース２０１内に導入される。これら空気は、左右の排気孔２０１ｃへ向かって流れる。その際、空気は冷陰極蛍光ランプ２０５から熱を奪い、これによって、冷陰極蛍光ランプ２０５が冷却される。暖かくなった空気は、排気孔２０１ｃから排気風路２１６、２１７に入り、排気ファン２１３、２１５を通って、最終的に機外へ排出される。なお、排気ファン２１３、２１５が回転すると、インバータ基板２０９側へも外部の空気が導入され、これら空気によって、インバータ基板２０９が冷却される。暖かくなった空気は、吸気口２１２ｂ、２１４ｂから排気風路２１６、２１７へ入り、排気ファン２１３、２１５を通って、最終的に機外へ排出される。
【００３７】
図４および図８を参照して、保持枠２３は矩形状を有し、その後面には凹部２１８が形成されている。バックライト２１のケース２０１の前端部が、この凹部２１８に嵌め込まれる。保持枠２３の枠によって定まる開口部２１９は、液晶パネル２４の表示画面の大きさとほぼ等しくされている。バックライト２１からの光はこの開口部２１９を通過する。保持枠２３の前面には、前面より一段凹んだ第１の凹部２２０と、第１の凹部２２０よりもさらに一段凹んだ第２の凹部２２１とが形成されている。
【００３８】
第２の凹部２２１の底面には光学シート２２２が取り付けられている。光学シート２２２は、図９に示すように、後側（バックライト側）から順に、板状のディフューザ２２２ａと、Ｈ型のＢＥＦ（Brightness Enhancement Film）２２２ｂと、Ｖ型のＢＥＦ２２２ｃと、拡散シート２２２ｄとが重ね合わされたものである。
【００３９】
冷陰極蛍光ランプ２０５から発せられた光は、ディフューザ２２２ａによって拡散される。ディフューザ２２２ａによって拡散された光のうち水平方向に拡散した光は、Ｈ型のＢＥＦ２２２ｂを通過することによって正面側に集光し、垂直方向に拡散した光は、Ｖ型のＢＥＦ２２２ｃを通過することによって正面側に集光する。２枚のＢＥＦ２２２ｂ、２２２ｃを光が通過することにより輝度が上昇する。輝度が上昇した光は、さらに拡散シート２２２ｄによって適度に拡散される。こうして、光学シート２２２を通過することで均一且つ強い光となり、この光が液晶パネル２４に照射されることになる。
【００４０】
液晶パネル２４は矩形状を有し、保持枠２３の第１の凹部２２０に嵌め込まれる。このとき、光学シート２２２の厚さは第２の凹部２２１よりも薄いため、光学シート２２２と液晶パネル２４との間には空気層が形成される。この空気層の断熱効果によって、冷陰極蛍光ランプ２０５からの熱が液晶パネル２４に伝わりにくくなり、液晶パネル２４の保護が図れる。
【００４１】
再び、図３および図４を参照して、押さえ枠２５は矩形状を有し、その後面には、保持枠２３の前部が嵌め込まれる凹部２２３が形成されている。保持枠２３の前部が、押さえ枠２４の凹部２２３に嵌め込まれることにより、凹部２２３の底面で液晶パネル２４の周縁部が押さえられる。また、押さえ枠２５の前面には、後述するスペーサ３の凹部に嵌め込まれる凸部２２４が形成されている。押さえ枠２５の枠によって定まる開口部２２５は、液晶パネル２４の表示画面の大きさとほぼ等しくされている。
【００４２】
図１０はスペーサ３の構成を示す図である。同図（ａ）は、２つのスペーサ３を前後に重ねた状態の斜め前方からみた斜視図であり、同図（ｂ）は、スペーサ３の模式的な縦断面図である。
【００４３】
本実施の形態では、厚みの等しい２つのスペーサ３が使用される。スペーサ３は矩形の枠状に形成されている。スペーサ３の枠によって定まる開口部３０１の大きさは、液晶パネル２４の表示画面の大きさとほぼ等しくされている。スペーサ３の前面には、凸部３０２が形成されており、後面には凹部３０３が形成されている。
【００４４】
液晶表示装置をアセンブルする際には、後のスペーサ３の凸部３０２が前のスペーサの凹部３０３に嵌め込まれる。また、後のスペーサ３の凹部３０３には、後部表示ユニット２の押さえ枠２５の凸部２２４が嵌め込まれる。さらに、前のスペーサ３の凸部３０２が、前部表示ユニット１の保持枠１２の凹部１０３に嵌め込まれる。
【００４５】
図１１は、前カバー４の構成を示す図であり、前カバー４を斜め前方から見た斜視図である。
【００４６】
図１１を参照して、前カバー４は、後方が開口した矩形の箱状に形成されている。前カバー４の前面には、矩形状の表示窓４０１が形成されている。この表示窓４０１の大きさは、液晶パネル１１の表示画面の大きさとほぼ等しくされている。
【００４７】
前面カバー４の左右の側面には、上端部、中央部、下端部の３箇所に切欠き４０２が形成されている。切欠き４０２は、前カバー４の後端から前方に延びており、ほぼＵ字形状をしている。また、上端部の切欠き４０２と中央部の切欠き４０２の間には、溝部４０３が座押しにより形成されており、中央部の切欠き４０２と下端部の切欠き４０２の間には、溝部４０４が座押しにより形成されている。溝部４０３、４０４は、前カバー４の後端から前方に延びており、ほぼＵ字形状をしている。溝部４０３、４０４の底部には、前カバー４の後端から前方に延びる切欠き４０３ａ、４０４ａが形成されている。
【００４８】
前カバー４の左の側面には、中央部の切欠き４０２を挟んで上下２箇所に吸気口４０５が形成されている。吸気口４０５は、縦横に配列された多数の小孔４０５ａによって構成されている。また、前カバー４の下の側面にも、３箇所に吸気口４０６が形成されている。吸気口４０６も、縦横に配列された多数の小孔４０６ａによって構成されている。
【００４９】
図１２は、後カバー５の構成を示す図であり、後カバー５を斜め前方から見た斜視図である。
【００５０】
図１２を参照して、後カバー５は、前方が開口した矩形の箱状に形成されている。後カバー５の上の側面の前端は、下の側面の前端より少し前に張り出しており、左右の側面の上端部も、それに合わせて少し前に張り出している。
【００５１】
前面カバー５の左右の側面には、上端部、中央部、下端部の３箇所に切欠き５０１が形成されている。切欠き５０１は、前カバー５の前端から後方に延びており、ほぼＵ字形状をしている。また、上端部の切欠き５０１と中央部の切欠き５０１の間には、円形の取付凹部５０２が座押しにより形成されている。取付凹部５０２の底部には貫通孔５０２ａが形成されている。
【００５２】
後カバー５の左の側面には、４箇所に吸気口５０３が形成されている。吸気口５０３は縦横に配列された多数の小孔５０３ａによって構成されている。また、後カバー５の下の側面にも、３箇所に吸気口５０４が形成されている。吸気口５０４も縦横に配列された多数の小孔５０４ａによって構成されている。なお、後カバー５の小孔５０３ａ、５０４ａは、前カバー４の小孔４０５ａ、４０６ａよりも少し小さくなっており、孔と孔との間隔は等しくなっている。液晶表示装置がアセンブルされた際、前カバー４と後カバー５の重なり部分では、前カバー４の小孔４０５ａ、４０６ａと後カバー５の小孔５０３ａ、５０４ａとが整合する。
【００５３】
後カバー５の後面には、左右に排気口５０５が形成されている。排気口５０５は、径方向に配列した３つの円弧状の排気孔５０５ａを環状に配列した構成となっている。また、左右の排気口５０５の間には、吸気口５０６が形成されている。吸気口５０６は縦横に配列された多数の小孔５０６ａによって構成されている。さらに、後カバー５の後面には矩形状の開口５０７が形成されている。この開口５０７は、インバータ基板２０９に接続される外部からの配線を通すためのものである。
【００５４】
図１３は、液晶表示装置をアセンブルする際の工程を示す図である。
【００５５】
液晶表示装置をアセンブルする際には、まず、前部表示ユニット１と、スペーサ３と、後部表示ユニット２とを積層して一体化する。これにより、前部表示ユニット１の液晶パネル１１と後部表示ユニット２の液晶パネル２４とが、スペーサ３によって所定の間隔に保持される。（工程[Ａ]）
次に、前部表示ユニット１、スペーサ３および後部表示ユニット２を一体化したものに前カバー４を被せる。これにより、液晶パネル１１の前面周縁部が前カバー４の裏面に当接し、前面周縁部が前カバー４によって押さえられる。また、バックライト２１の３つの取付ボス２０２が３つの切欠き４０２に収容される。さらに、取付ボス２０３が溝部４０３と整合し、取付ボス２０４が溝部４０４と整合する。この状態で、前カバー４を、ネジ６００を用いて取付ボス２０４にネジ止めする。(工程[Ｂ])
次に、前カバー４の外側に、後カバー５を被せる。これにより、３つの取付ボス２０２が３つの切欠き５０１に収容される。また、取付凹部５０２が取付ボス２０３と溝部４０３とに整合する。この状態で、後カバー５を、ネジ６０１を用いて取付ボス２０３にネジ止めする。(工程[Ｃ])
こうして、液晶表示装置のアセンブルが完了する。
【００５６】
以上のような構成において、液晶表示装置に画像を表示する際には、液晶パネル１１、液晶パネル２４およびバックライト２１（冷陰極蛍光ランプ２０５）が駆動される。前側の液晶パネル１１と後側の液晶パネル２４には、それぞれ異なる画像が表示され、観る者によって各液晶パネルの画像が合成される。このように、画像の配置を前後させることにより、合成画像に奥行き感を与えることができる。
【００５７】
図１４は、前側の液晶パネル１１と後側の液晶パネル２４の構成を示す図である。同図（ａ）は、前側の液晶パネル１１の模式的な要部断面図であり、同図（ｂ）は、後側の液晶パネル２４の模式的な要部断面図である。
【００５８】
前側の液晶パネル１１は、同図（ａ）に示すように、後側（バックライト２１側）から順に、偏光板１０４、ガラス基板１０５、液晶１０６、カラーフィルタ１０７、ガラス基板１０８、偏光板１０９が積層された構造を有する。
【００５９】
すなわち、２枚のガラス基板１０５、１０８の間には液晶１０６が封入され、それぞれのガラス基板１０５、１０８の外側に偏光板１０４、１０９が配される。２つの偏光板１０４、１０９は、互いに偏光方向が９０度ずれたものとなる。ガラス基板１０８の液晶側の表面には、印刷によってカラーフィルタ１０７が形成される。
【００６０】
カラーフィルタ１０７は、入射した光にＲＧＢのそれぞれのフィルタを掛けることによって色を表示するものであり、Ｒｅｄのカラーフィルタ１０７ａ（以下、「Ｒフィルタ」という）と、Ｇｒｅｅｎのカラーフィルタ１０７ｂと（以下、「Ｇフィルタ」という）と、Ｂｌｕｅのカラーフィルタ１０７ｃと（以下、「Ｂフィルタ」という）とで構成されている。１組のＲフィルタ１０７ａ、Ｇフィルタ１０７ｂ、Ｂフィルタ１０７ｃによって、液晶パネル１１の表示画面における１画素が構成される。
【００６１】
一方、後側の液晶パネル２４は、図１４（ｂ）に示すように、後側（バックライト２１側）から順に、偏光板２２６、視野角拡大フィルム２２７、ガラス基板２２８、液晶２２９、カラーフィルタ２３０（Ｒフィルタ２３０ａ、Ｇフィルタ２３０ｂ、Ｂフィルタ２３０ｃ）、ガラス基板２３１、視野角拡大フィルム２３２、偏光板２３３が積層された構造を有する。
【００６２】
すなわち、液晶パネル２４には、液晶パネル１１と同様な構成に加えて、偏光板２２６、２３３のガラス基板２２８、２３１側の面に視野角拡大フィルム２２７、２３２が貼られている。視野角拡大フィルム２２７、２３２は、偏光板２２６、２３３からの光漏れを補正することで、視野角を拡大するものである。これにより、本実施の形態では、前側の液晶パネル１１の視野角αは約４５度であるのに対し、後側の液晶パネル２４の視野角βは約７０度となっている。
【００６３】
図１５は、本実施の形態の液晶表示装置で表示される画像の一例を示す図である。同図（ａ）に示すように、前側の液晶パネル１１には、僅かに開放された襖の画像が表示されており、後側の液晶パネル２４には、山々の上に満月が浮かんだ風景の画像が表示されている。こうして、前後の液晶パネル１１、２４により合成された画像は、襖越しに見える風景の画像となる。
【００６４】
表示画面を正面から見たとき、液晶パネル２４が表示する風景中の満月は、液晶パネル１１が表示する襖で覆い隠されている。よって、同図（ｂ）（ｃ）に示すように、正面や左斜め４５度の角度から覗き見るようにしたとき、襖の隙間から満月を見ることができない。これに対し、同図（ｄ）に示すように、左斜め６０度の角度から覗き見ると、満月が捉えることができる。
【００６５】
このとき、後側の液晶パネル２４の視野角が前側の液晶パネル１１の視野角と同じ４５度であると、満月が鮮明に見えず、実質的に満月が見えない状態となってしまう。本実施の形態では、後側の液晶パネル２４に視野角拡大フィルム２２７、２３２が設けられており、これによって、液晶パネル２４の視野角が約７０度となっている。このため、上記のように、斜め６０度から覗き見ても、満月を鮮明に見ることができる。
【００６６】
一般に、図１５に示す画像は正面から観察される。この場合、観察者は、視点を僅かに左右に振ることで、あたかも襖の僅かな隙間から遠くの風景を見る場合と同じく、奥の画像による風景が変化することに気づく。そうすると、観察者には、さらに広い範囲で奥の風景を見ようとする興味が起こる。この興味により、観察者は、さらに視点を振ってより広い範囲で奥の風景を見ようとする。
【００６７】
この場合、後側の液晶パネル２４の視野角が前側の液晶パネル１０の視野角と同じく４５度であると、後側の液晶パネル２４による風景を隅々まで見ることができず、観察者の興味は十分に満たされ得ない。本実施の形態では、後側の液晶パネル２４の視野角が７０度であるため、後側の液晶パネル２４による風景を隅々まで見ることができ、観察者の興味を充足させることができる。
【００６８】
また、このように、後側の液晶パネル２４による画像を隅々まで見ることができると、この画像による風景に広がり感が発揮される。つまり、奥が大きく広がっているように感じられ、その結果、後側の液晶パネル２４と後側の液晶パネル２４による合成画像には、奥行き感や立体感が醸し出される。
【００６９】
なお、図１５（ｄ）の状態に観察者が視点を移すと、左右の襖のうち右側の襖を見込む観察者の視点の角度は、前側の液晶パネル１０の視野角を超える角度となって、観察者は、右側の襖の画像を鮮明に見ることができなくなる。しかし、この場合、観察者は、奥の風景に注目しているため、このように右側の襖の画像が不鮮明となっても、観察者には殆ど問題とならない。つまり、この場合、観察者にとっては奥の風景が重要であり、前側に表示された襖の画像はさほど重要ではない。よって、前側の液晶パネル１０の視野角は、観察者が通常正面から見る場合の範囲をカバーすれば足り、後側の液晶パネル２４のように視野角を拡大する必要はない。
【００７０】
なお、ここでは、後側の液晶パネル２４の視野角を７０度としたが、この視野角は、左右（および上下）から後側の液晶パネル２４の画像を見ようとする範囲をどの程度に想定するかによって適宜調整される。この場合、前側の液晶パネル１０と後側の液晶パネル２４の間隔もまた、視野角の設定要因の一つとなる。同じ視点位置であっても、この間隔が小さくなるほど、視点が後側の液晶パネル２４の右端または左端の領域を見込む角度が大きくなり、これに応じて後側の液晶パネル２４の視野角を広げる必要がある。
【００７１】
以上、本実施の形態では、後側の液晶パネル２４に視野角拡大フィルムを設けることによって、後側の液晶パネル２４の視野角が前側の液晶パネル１１の視野角よりも大きくなるようにしたので、前側の液晶パネル１１の被表示体（上述の襖など）に隠された後側の液晶パネル２４の被表示体（上述の満月など）を大きな角度範囲で見ることができるようになる。これにより、前後の液晶パネル１１、２４によって合成された画像に拡がり感が発揮され、合成された画像に、一層の奥行き感や立体感を持たせることができる。また、合成画像による面白みを高めることができる。
【００７２】
また、前側の液晶パネル１１においては、上記の如く、必要以上に視野角を大きくしなくてよいので、別途特別に視野角拡大フィルムを配さなくてもよく、よって、視野角拡大に伴うコストの上昇を抑えることができる。
【００７３】
なお、本実施の形態では、左右方向の視野角と上下方向の視野角の両方を広げるために２つの視野角拡大フィルム２２７、２３２を配するようにしたが、たとえば、左右方向の視野角のみを拡大する場合には、これに対応する視野角拡大フィルムを一つのみ配するようにしても良い。
【００７４】
以上、本発明の実施形態について説明したが、本発明は、上記実施の形態によって何ら制限されるものではなく、また、本発明の実施の形態も、上記以外に種々の変更が可能である。また、本発明の実施の形態は、特許請求の範囲に示された技術的思想の範囲内において、適宜、種々の変更が可能である。
【図面の簡単な説明】
【００７５】
【図１】本実施の形態に係る液晶表示装置の構成を示す図。
【図２】本実施の形態に係る前部表示ユニットの構成を示す図。
【図３】本実施の形態に係る後部表示ユニットの構成を示す図。
【図４】図３におけるＡ−Ａ´部の模式的な断面図。
【図５】本実施の形態に係るバックライトの構成を示す図。
【図６】本実施の形態に係る冷陰極蛍光ランプの保持構造を示す図。
【図７】本実施の形態に係るバックライトにおける排気孔の配置を示す図。
【図８】本実施の形態に係るバックライトに保持枠を取り付けた状態を示す図。
【図９】本実施の形態に係る光学シートの構成を示す図。
【図１０】本実施の形態に係るスペーサの構成を示す図。
【図１１】本実施の形態に係る前カバーの構成を示す図。
【図１２】本実施の形態に係る後カバーの構成を示す図。
【図１３】本実施の形態に係る液晶表示装置をアセンブルする際の工程を示す図。
【図１４】本実施の形態に係る前部表示ユニットの液晶パネルと後部表示ユニットの液晶パネルの構成を示す図。
【図１５】本実施の形態に係る液晶表示装置で表示されるが画像の一例を示す図。
【符号の説明】
【００７６】
１１  液晶パネル（第１の液晶パネル）
２１  バックライト（光源部）
２４  液晶パネル（第２の液晶パネル）
２２７  視野角拡大フィルム（視野角拡大部）
２３２  視野角拡大フィルム（視野角拡大部）
【図１】
0005004766.tif 000002
【図２】
0005004766.tif 000003
【図３】
0005004766.tif 000004
【図４】
0005004766.tif 000005
【図５】
0005004766.tif 000006
【図６】
0005004766.tif 000007
【図７】
0005004766.tif 000008
【図８】
0005004766.tif 000009
【図９】
0005004766.tif 000010
【図１０】
0005004766.tif 000011
【図１１】
0005004766.tif 000012
【図１２】
0005004766.tif 000013
【図１３】
0005004766.tif 000014
【図１４】
0005004766.tif 000015
【図１５】
0005004766.tif 000016